(57)【要約】      （修正有）【課題】  押上バネストッパーを引戸に後付で簡単に取り付け、引戸を閉めることに連動して自動的にロックをする、コクパクトで、薄くて、強度のある簡易な引戸用自動ロック具を提供する。【解決手段】  折曲げた押上バネ１の水平部分の裏面に基板３を溶接するとともに表面に固定板４を溶接し、押上バネの折曲部分の表面に補強板６を固定版と間隔を置いて溶接して押上バネストッパー７を形成し、この押上バネストッパーを、押上バネの折曲部分の先端部分が、閉じた状態の一方の引戸８ｂの端部に近接するように、他方の引戸８ａの端部に取り付け、補強板を押上バネの弾力に抗して押圧して押上バネの折曲部分を水平状態にして引戸のロックを解いて引戸を開け、引戸を閉めて折曲部分を押上バネの弾力によって折曲状態に自動的に復元することによって引戸をロックする引戸用自動押上バネロック具。【選択図】  図５
2008095410.tif 000002
【特許請求の範囲】
【請求項１】
５〜４５度に折曲げた押上バネの水平部分の裏面に基板を溶接するとともに押上バネの水平部分の表面に固定板を溶接し、この押上バネの折曲部分の表面に補強板を固定版と０．１〜０．５ｍｍの間隔を置いて溶接して押上バネストッパーを形成し、この押上バネストッパーを、押上バネの折曲部分の先端部分が、閉じた状態の一方の引戸の端部に近接するように、他方の引戸の端部に取り付け、この押上バネストッパーの補強板を押上バネの弾力に抗して押圧して押上バネの折曲部分を水平状態にして引戸のロックを解いて引戸を開けるとともに、引戸を閉めて補強板を溶接した押上バネの折曲部分を押上バネの弾力によって折曲状態に自動的に復元することによって引戸をロックする引戸用自動押上バネロック具。
【請求項２】
押上バネストッパーの固定板の一部分に中空部を形成するとともに中空部に補強板と押上バネの補強板を溶接する部分を装填して固定板の押上バネへの溶着面積を大きくした請求項１記載の引戸用自動押上バネロック具。
【請求項３】
押上バネストッパーの基板の一端に溶接した差込部を、引戸の間隙に挿着する請求項１または請求項２記載の引戸用自動押上バネロック具。
【請求項４】
押上バネストッパーの押上バネ、基板、固定板を溶接する代わりに接着剤によって接着する請求項１または請求項２あるいは請求項３記載の引戸用自動押上バネロック具。
【発明の詳細な説明】
【技術分野】
【０００１】
本発明はサッシ、ドアー等の引戸に取り付ける自動押上バネロック具に関するものである。
【背景技術】
【０００２】
従来のサッシ、ドアー等の引戸のロック機構としては、円型平盤式テーパカム（クレセント）を使用するものが多く、引戸を閉めた後に手によって円型平盤式テーパカムを中心軸にそって回転させて引戸をロックし、また、手によって円型平盤式テーパカムを逆回転させてロックを解いて引戸を開けるものが多く、サッシ、ドアー等の引戸の開閉に連動して自動的に引戸のロックをする、コクパクトで、薄い簡易な引戸用自動ロック具は無かった。
【０００３】
また、サッシ、ドアー等の引戸に後付して使用するロック機構として、特許公開２００４−２３２３４５号公報や特許公開２００４−３４７０００号公報に記載されているように、板バネを利用したものが存在したが、物理的強度に難点があるばかりか、前述した場合と同様に、サッシ、ドアー等の引戸を閉めることに連動して自動的に引戸のロックをする、コクパクトで、薄くて、物理的強度のある簡易な引戸用自動ロック具は無かった。
【０００４】
【特許文献１】特許公開２００４−２３２３４５号公報          特許公開２００４−３４７０００号公報
【発明の開示】
【発明が解決しようとする課題】
【０００５】
本発明は、押上バネストッパーをサッシ、ドアー等の引戸に後付で簡単に取り付けて、引戸を閉めることに連動して押上バネストッパーによって自動的に引戸をロックする、特別の機構を使用しない、コクパクトで、薄くて、物理的強度のある簡易な引戸用自動ロック具を提供することに目的がある。
【０００６】
また、本発明は、前述した押上バネストッパーの固定板の一部分に中空部を形成するとともに中空部に補強板と押上バネの補強板を溶接する部分を装填し、固定板の押上バネへの溶着面積を大きくすることによって、引戸のロック状態を維持する際に固定板にかかる押圧力に耐えることのできる、より物理的強度のある簡易な引戸用自動ロック具を提供することに目的がある。
【０００７】
さらに、本発明は、前述した押上バネストッパーの基板の一端に溶接した差込部を、既に設置されているサッシに存在する間隙に簡単に挿填して、サッシを閉めることに連動して自動的にロックをする、コクパクトで、薄くて、物理的強度のある簡易なサッシ向けの引戸用自動ロック具を提供することに目的がある。
【０００８】
さらに、本発明は、押上バネストッパーの押上バネ、基板、固定板を溶接する代わりに接着剤によって接着して、より安価で簡易な引戸用自動押上バネロック具を提供することに目的がある。
【課題を解決するための手段】
【０００９】
本発明は、引戸用自動押上バネロック具に関するものであり、５〜４５度に折曲げた押上バネの水平部分の裏面に基板を溶接するとともに押上バネの水平部分の表面に固定板を溶接し、この押上バネの折曲部分の表面に補強板を固定版と０．１〜０．５ｍｍの間隔を置いて溶接して押上バネストッパーを形成したもので、この押上バネストッパーを引戸に取り付けるについて、押上バネの折曲部分の先端部分が、閉じた状態の一方の引戸の端部に近接するように、他方の引戸の端部に簡単に取り付け、そして、この押上バネストッパーの補強板を押上バネの弾力に抗して押圧して押上バネの折曲部分を水平状態にして引戸のロックを解いて引戸を開けるとともに、引戸を閉めて補強板を溶接した押上バネの折曲部分を押上バネの弾力によって折曲状態に自動的に復元することによって引戸を簡易にロックすることに特徴がある。
【００１０】
また、本発明は、前述した引戸用自動押上バネロック具の押上バネストッパーの補強板の一部分に中空部を形成するとともに中空部に補強板と押上バネの補強板を溶接する部分を装填して、固定板の押上バネへの溶着面積を大きくすることに特徴がある。
【００１１】
さらに、本発明は、前述した引戸用自動押上バネロック具の押上バネストッパーの基板の一端に差込部を溶接し、サッシ等の引戸の間隙に挿填することに特徴がある。
【００１２】
さらに、本発明は、前述した引戸用自動押上バネロック具の押上バネストッパーの押上バネ、基板、固定板を溶接する代わりに接着剤によって接着してすることに特徴がある。
【発明の効果】
【００１３】
本発明は、引戸用自動押上バネロック具の押上バネストッパーを引戸に簡単に後付して、押上バネストッパーの補強板を押上バネの弾力に抗して押圧して押上バネの折曲部分を水平状態にして引戸のロックを解いて引戸を開けるとともに、引戸を閉めて補強板を溶接した押上バネの折曲部分を押上バネの弾力によって折曲状態に復元させ、押上バネの折曲部分に溶接した補強板のエッジ部分が固定板のエッジ部分に衝突して動かなくして引戸を自動的にロックする。
【００１４】
また、本発明は、引戸用自動押上バネロック具の押上バネストッパーの基板の一端に溶接した差込部を、既に設置されているサッシに存在する間隙に簡単に挿填して頑強に後付して、前述したように、サッシを閉めることに連動して自動的にロックをする。
【発明を実施するための最良の形態】
【００１５】
本発明の引戸用自動押上バネロック具を通常の引戸を一例として説明すると、図１と図２に示すように、５〜４５度に折り曲げた押上バネ１の水平部分２の裏面に基板３を溶接し、また、押上バネ１の水平部分２の表面に固定板４を溶接し、さらに、この押上バネ１の折曲部分５の表面に補強板６を固定版４と０．１〜０．５ｍｍの間隔を置いて溶接して押上バネストッパー７を形成する。
【００１６】
押上バネストッパー７の押上バネ１の折曲部分５は、常態においては、図２に示すように、弾性を持って折り曲がった状態にあるが、人の指で補強板６を弾性に抗して押圧すると、図３に示すように、押上バネ１の折曲部分５は基板３に押し付けられて水平状態になるようにし、人の指が補強板６より離れると、押上バネ１の折曲部分５は弾性によって折り曲がった状態に復元するようにする。
【００１７】
押上バネストッパー７の固定板４の強度を高める必要がある場合には、図４に示すように、固定板４の一部分に中空部９を形成し、中空部９より若干小さくした押上バネ１の折曲部分５を中空部９内に装填するとともに、折曲部分５の表面に、中空部９より若干小さくした補強板６を固定版４と０．１〜０．５ｍｍの間隔を置いて溶接して中空部９内に装填することによって、固定板４の押上バネ１への溶着面積を大きくすることによって、引戸のロック状態を維持する際に固定板にかかる押圧力に耐えるようにストッパー７を形成してもよく、人の指で補強板６を弾性に抗して押圧して水平状態にし、人の指が補強板６より離して押上バネ１の折曲部分５を弾性によって折り曲がった状態に復元することについては前述した場合と同様である。
【００１８】
押上バネストッパー７は、図５に示すように、押上バネ１の折曲部分５に溶接した補強板６の右エッジ部分６ｂが、閉じた状態の一方の引戸８ｂの端部側面に近接するように、押上バネストッパー７の基板３を閉じた状態の他方の引戸８ａの表面に接着剤やネジ等によって固定し、押上バネ１の折曲部分５に溶接した補強板６の右エッジ部分６ｂによって一方の引戸８ｂをロックする。
【００１９】
また、押上バネストッパー７は、図６に示すように、人の手で補強板６を押圧して押上バネ１の折曲部分５を弾力に抗して水平状態にして一方の引戸８ｂのロックを解き、水平状態にした補強板６と折曲部分５とを取り付けた他方の引戸８ａを、一方の引戸８ｂとの間に形成した間隙内を右方向に移動させて引戸を開ける。
【００２０】
次に、開けた状態の他方の引戸８ａを左方向に移動して他方の引戸８ａを閉めた状態にすると、押上バネ１の折曲部分５は弾力によって前述した折曲状態に自動的に復元して、補強板６によって一方の引戸８ｂをロックする。
【００２１】
押上バネストッパー７がトッパーとしての機能を持つのは、図７に示すように、押上バネ１の折曲部分５に溶接した補強板６の左エッジ部分６ｅが固定板４の右エッジ部分４ｅに衝突して動かなくなり、他方の引戸８ａの移動を阻止してロックするためであり、押上バネ１だけでは他方の引戸８ａの移動を阻止できず、押上バネ１は折り込まれた状態になり、一方の引戸８ｂはロックできない。
【００２２】
押上バネストッパー７がトッパーとしての機能を持ち、かつ、押上バネ１の折曲部分５に溶接した補強板６を折り曲げるための余裕（アロウアンス）を持たせるためには、図８に示すように、引戸８ｂ折曲部分に溶接した補強板６の左エッジ部分６ｅと、基板３に溶接した固定版４の右エッジ部分４ｅとの間隔Ｋを一定範囲で保つ必要があり、この間隔Ｋは補強板６と固定版４の厚さによって影響を受けるが、通常の場合は、補強板６と固定版４の厚さは１．５〜２．５ｍｍのものを使用することが多く、この場合は、この間隔Ｋは０．１〜０．５ｍｍにする。
【００２３】
押上バネストッパー７は、引戸８ａと一方の引戸８ｂの間に存在する間隙を利用して他方の引戸８ａ（引戸８ｂでもよい）に取り付けるので、押上バネ１の厚さは０．３〜０．６ｍｍ、固定板４と補強板６の厚さは１．５〜２．５ｍｍ、基板３の厚さは１．２〜２．３ｍｍとし、押上バネ１の厚さが０．６ｍｍを超え、固定板４と補強板６の厚さが２．５ｍｍを超え、基板３の厚さが２．３ｍｍを超えると、押上バネストッパー７（水平状態にした補強板６、折曲部分５と基板３）の厚さが厚くなって摺動性に支障が発生し、また、押上バネ１の厚さが０．３ｍｍ未満、固定板４と補強板６の厚さが１．５未満、基板３の厚さは１．２ｍｍ未満であると、押上バネストッパー７の厚さが薄くなって押上バネストッパー７としての物理的強度に問題が発生する。
【００２４】
また、押上バネ１の折り曲げ角度を５〜４５度にするのは、押上バネストッパー７がトッパーとしての機能を発揮させるためであり、折り曲げ角度が５度未満であると、押上バネストッパー７による引戸のロック状態を安定的に維持し難く、折り曲げ角度が４５度を超えると、押上バネストッパー７のトッパーとしての保持力に支障が発生するおそれがあり、望ましくは、押上バネ１の折り曲げ角度を１０〜３０度にすると、押上バネストッパー７による引戸のロック状態をより安定的に維持でき、押上バネストッパー７のトッパーとしての保持力もよくなる。
【００２５】
通常の場合、押上バネ１はステンレスバネ、焼入鋼バネで製作し、その長さは３０〜１００ｍｍ、幅は１０〜３０ｍｍとし、固定板４と補強板６はステンレス、鉄等で製作し、その長さは１５〜５０ｍｍ、幅は８〜３０ｍｍとし、基板３はステンレス、鉄等で製作し、その長さは３５〜１２０ｍｍ、幅は１０〜３０ｍｍとする。
【００２６】
押上バネストッパー７には、図９に示すように、基板３の先端部に差込部１０を溶接してもよく、たとえば、引戸であっても、アルミサッシのように、窓枠の構成部分に、図１０に示すような隙間１１が他方の引戸８ａの窓枠部分にあるので、この隙間１１に基板３の差込部１０を挿着して基板３をより頑強、安定に取り付けてもよい。
【００２７】
通常の場合、押上バネ１に補強板６と固定板４とを溶接し、この押上バネ１を基板３に溶接して押上バネストッパー７を構成するが、押上バネストッパー７を安価に製作するには、溶接に代えて、エポシキ系接着剤、たとえば、一液エポシキ過熱硬化型接着剤や二液エポシキ室温硬化型接着剤（スコッチ・ウエルド（住友スリーエム株式会社製））で接着してもよい。
【産業上の利用可能性】
【００２８】
本発明はサッシ、ドアー等の引戸に後付して使用するロック機構として利用できる。
【図面の簡単な説明】
【００２９】
【図１】本発明の引戸用自動押上バネロック具の構成部材の展開図である。
【図２】本発明の引戸用自動押上バネロック具の側面図である。
【図３】本発明の引戸用自動押上バネロック具を押圧した状態の側面図である。
【図４】本発明の引戸用自動押上バネロック具の構成部材のうち、固定板に中空部を設けたものを使用した場合の展開図である。
【図５】本発明の引戸用自動押上バネロック具を引戸に取り付けて、引戸を閉めたときに、押上バネによって引き戸をロックした状態の断面図である。
【図６】本発明の引戸用自動押上バネロック具を引戸に取り付けて、引戸を開けるときに、押上バネを押圧して水平状態にして引き戸のロックを開放した状態の断面図である。
【図７】本発明の引戸用自動押上バネロック具の押上バネによって引き戸をロックしたときに、押上バネの折曲部分に溶接した補強板のコーナー部分が固定板のコーナー部分に衝突して動かなくなった状態を示す側面図である。
【図８】本発明の引戸用自動押上バネロック具の押上バネを押圧して引き戸のロックを開放したときに、押上バネの折曲部分に溶接した補強板のコーナー部分と固定板のコーナー部分との間隔を示す側面図である。
【図９】本発明の引戸用自動押上バネロック具の基板の先端に差込分を取り付けた状態を示す側面図である。
【図１０】本発明の引戸用自動押上バネロック具の基板の先端に差込分を取り付けて、この差込分を引戸の間隙に挿着した状態を示す断面図である。
【符号の説明】
【００３０】
１    押上バネ
２    水平部分
３    基板
４    固定板
４ｅ  右エッジ部分
５    折曲部分
６    補強板
６ａ  右エッジ部分
６ｅ  左エッジ部分
７    押上バネストッパー
８ａ  他方の引戸
８ｂ  一方の引戸
９    中空部
10    差込部
11    間隙
12    間隔
【図１】
2008095410.tif 000003
【図２】
2008095410.tif 000004
【図３】
2008095410.tif 000005
【図４】
2008095410.tif 000006
【図５】
2008095410.tif 000007
【図６】
2008095410.tif 000008
【図７】
2008095410.tif 000009
【図８】
2008095410.tif 000010
【図９】
2008095410.tif 000011
【図１０】
2008095410.tif 000012